(57)【特許請求の範囲】
【請求項１】
遊技盤に配置される液晶表示装置において、
液晶表示素子、バックライト部、および前記液晶表示素子と前記バックライト部とを駆動する駆動回路基板、これらを内包する画像パネルケースであって前記液晶表示素子の表示面に対応した開口部を有し、前記前面部と対向する背面に背面板を備えて取り付け部を形成した画像パネルケース、および前記背面板、とを備えて一体に形成された画像パネルユニットと、
前記画像パネルユニットの背面に配置されて、外部からのコマンドを受け付けて前記駆動回路基板を制御する画像制御基板と、
前記画像制御基板を不正防止のために包囲する透明なケース状であって、前記画像パネルユニットの前記取り付け部に対応する位置に取り付けるための孔明部と、端部に取り付け孔を設けた突出部とを有した第１の部材と、
前記画像パネルユニットの前記取り付け部に係合する孔明部を有し、当該前記孔明部を介して前記画像パネルユニットに固定される部材であって、前記孔明部を含み前記画像パネルユニットの背面の一部に接触する接触部と、この接触部の延長上であって、前記画像パネルユニットの側面から突出した端部に取り付け孔を設けた突出部とを有する金属から構成される第２の部材と
を備え、
前記第１の部材の突出部と前記第２の部材の突出部は、前記第１と第２の部材を共に前記画像パネルユニットに前記取り付け部を利用して結合させた際に、互いに重なり合い、かつそれぞれは前記画像パネルユニットを前記遊技盤に固定配置されている表示装置取り付け部と係合させ、前記取り付け孔を利用して締着させることが可能であることを特徴とする遊技機用液晶表示装置。
【発明の詳細な説明】
【０００１】
【発明の属する技術分野】
遊技機用液晶表示装置に関する。さらに詳述すれば、遊技機用液晶表示装置のリサイクル対策に関する。
【０００２】
【従来の技術】
ポータブル型のパーソナルコンピュータの表示装置として液晶表示装置が使用されている。あるいは従来においてＣＲＴ表示器が使用されてきた装置や機器においても他の機器との調和性や、小型でしかも奥行き寸法が小さいことなどの特長から、液晶表示装置が多く使用されている。とくに近年、遊技機においても、趣向性を向上させ、面白味に変化をもたらすために、ゲームにおいて液晶表示装置を使用したものが普通になっている。また、遊技機においては、顧客対策の一環として、遊技機の入れ替えが多く行われているが、上述した液晶表示装置も同時に廃棄されていた。ただし、液晶表示機のバックライトは液晶表示素子の寿命に比べて輝度低下が原因で寿命が短く、再利用以前の問題として、交換可能を前提に、その交換作業を容易にする技術も開発されていた。この例として特開平５−２３７２３３号公報、特開平６−１２１８７２号公報、特開平１１−３１９２４９号公報などがある。特開平５−２３７２３３号公報および特開平６−１２１８７２号公報においては、表示装置の側面からバックライトユニットを取り出し、あるいは装着することが行われ、特開平１１−３１９２４９号公報においては、駆動電源部を側部に有するバックライト部と液晶表示素子との結合を、ビス等を使用しないで脱着可能な構造を開示している。また、特開平６−１２１８７２号公報においては、画像表示部、詳細にいえば、遊技機の図柄表示装置の個別仕様部分の表示データの部分を基板から脱着可能し、これを交換することで、この図柄表示装置の再利用を実現するようにしている。
【０００３】
また、特開平５−２３７２３３号公報においてはユニットベースとカバー、裏カバーで、特開平６−１２１８７２号公報においては前ケースと裏ケースとにより、外面を形成し、これら内部に、液晶表示部や駆動回路等を内蔵し、液晶表示面から見た大きさは、液晶表示部の寸法に比べると縦横共に大きな寸法を有している。このようなケース外部に設けられた遊技盤への取付部を介して遊技盤に取り付けられている。また、特開平１１−３１９２４９号公報においては、液晶表示素子に上述したバックライトを背面に配置しているが、表示を制御する基板は、下部に配置されているボックス内部に実装されているように伺える。そして、液晶表示素子そのものの凹部に内包し、上記バックライト部を取り付ける部材に、遊技盤への取付部を有しているように伺える。
【０００４】
【発明が解決しようとする課題】
しかしながら、遊技盤、液晶表示素子を含む部分、そして遊技機の主制御部からのコマンドを受けて前記液晶表示素子上にゲーム画像を表示する基板についてそれぞれの結合関係の自由度、とくに遊技盤背面への取付において、それぞれの構造的な寸法等が変化した場合に対応する際の自由度、を向上させる工夫は見うけられなかった。
【０００５】
通常の遊技機における液晶表示装置、というよりも特別図柄表示装置は、液晶表示素子、バックライト、液晶パネルユニット駆動部（バックライトに使用される蛍光管の駆動、そして、遊技盤の主制御部のＣＰＵから送られたコマンドに基づいて液晶表示素子上に画像を表示する処理回路基板を含んでいる。ここにおいて、遊技盤へのこれらを取り付ける場合、遊技盤背面方向の寸法は、遊技面に沿った寸法よりも余裕があるので、遊技盤への取付高さを大きくしても遊技盤への取付面積が少なく、さらにその取付部の寸法や配置にある程度の自由度がある方が好ましい。ここで言う高さ方向は、実装時には水平方向となり、放熱対策も容易になる。また、遊技盤背面への各種部材を積層せずに、それぞれを単独で脱着することを可能にする。また、遊技盤背面への実装時に背面から各種の基板の表面を観察することも可能にする。この点では、前述した先行文献においては明確ではない。
【０００６】
また、液晶表示素子そのものは１０年程度の寿命があるが、バックライトに使用される蛍光管の寿命は従来１万時間程度であった。しかし、近年では４万時間から６万時間の高寿命の蛍光管も開発されている。このような蛍光管は、１日２４時間使用したと仮定しても４．５年から６．８年の寿命を持つことになる。１日に１６時間の場合は、６．８年から１０．２年になる。従来は他の理由によって短期間で、廃棄されてきたのが現状であったが、このように長い寿命を有する液晶表示部分を廃棄するのは、現在リサイクルが叫ばれているときでもあり、問題である。また、長寿命化した、また細管化した蛍光管を受けて、バックライトを含む形での液晶表示素子も１パッケージ化も進んでいる。利用する側にとって益々利用し易くなっている。
【０００７】
本発明の目的は、その機器の物理的、性能的、機能的寿命と離れて、営業上の理由により新旧の機種の変更が繰り返される遊技機において、遊技機の入れ替え時に再利用可能な表示装置を提供することにある。また、車載のナビゲーション装置における表示装置あるいは、テレビジョンの表示装置として利用可能な画像パネルユニット、これは液晶表示素子とバックライトそしてビデオ信号を入力して表示させる駆動回路と蛍光管駆動回路を備える、を提供することにある。また、遊技機における表示装置を、上述したように構成しながらも、物理的構成において、画像パネルユニットとして１つの筐体に構成し、遊技機における表示装置として求められるあるいは必要とされる機能と性能を有する表示装置を提供することにある。
【０００８】
別の視点では、遊技機の図柄表示装置として、汎用用途として使用可能な部分と、遊技機固有の汎用的ではない部分とを、機能的にそして構造的に分離した表示装置を提供することにある。
【０００９】
【課題を解決するための手段】
このような目的を達成するために、請求項１に記載の発明は、遊技盤に配置される液晶表示装置において、液晶表示素子、バックライト部、および前記液晶表示素子と前記バックライト部とを駆動する駆動回路基板、これらを内包する画像パネルケースであって前記液晶表示素子の表示面に対応した開口部を有した前面部、前記前面部と対向する背面に背面板を当接して取り付けるための取り付け部を備えた背面部、および前記前面部と前記背面部との間を構成する側面部を備えた画像パネルケース、および前記背面板、とを備えて一体に形成された画像パネルユニットと、前記画像パネルユニットの背面に配置されて、外部からのコマンドを受け付けて前記駆動回路基板を制御する画像制御基板と、前記画像制御基板を不正防止のために包囲する透明なケース状であって、前記画像パネルユニットの前記取り付け部に対応する位置に取り付けるための孔明部と、端部に取り付け孔を設けた突出部とを有した第１の部材と、前記画像パネルユニットの前記取り付け部に係合する孔明部を有し、当該前記孔明部を介して前記画像パネルユニットに固定された部材であって、前記孔明部を含み前記画像パネルユニットの背面の一部に接触する接触部と、この接触部の延長上であって、前記画像パネルユニットの側面から突出した端部に取り付け孔を設けた突出部とを有する金属から構成される第２の部材とを備え、前記第１の部材の突出部と前記第２の部材の突出部は、前記第１と第２の部材を共に前記画像パネルユニットに前記取り付け部を利用して結合させた際に、互いに重なり合い、かつそれぞれは前記画像パネルユニットを前記遊技盤に固定配置されている表示装置取り付け部と係合させ、前記取り付け孔を利用して締着させることが可能であることを特徴とするものである。
【００１１】
【発明の実施の形態】
図１は、本発明の実施形態の表示装置２０１の分解斜視図である。ただし、ビスは省略している。図の２０５は、内部に液晶表示素子、バックライト、液晶表示素子とバックライトを駆動する駆動回路を含む画像パネルユニットである。図において、液晶の表示面は下面に相当し、手前側の面は、表示面を垂直に配置した場合の下部に相当する。したがって、図の上面は、画像パネルユニットの背面に相当する面であり、背面板２３３が、取り付け部２１３を介して画像パネルユニット２０５の背面に固定される構造を有していることを示している。背面板２３３はアルミ材で形成されている。図２は、図１で示したそれぞれの部材を組み上げた状態を示している。
【００１２】
図１において、２０２は透明な部材で形成したケースであり、不正防止から内部の基板を保護するために、図示した画像制御基板２０４を包囲する形状を有している。ただし、外部の遊技機を制御するＣＰＵ基板からの信号や駆動電源を受けるコネクタ部は開口しており、組み上げた状態で外部から延長されたケーブル先端のコネクタを基板２０４上のコネクタに連結することができ、外部基板と画像制御基板２０４との間のケーブル接続を可能にしている。同時に電源部からの電源ケーブルも同様である。
【００１３】
図２において透明ケースの右側面上部の切り欠き部が、その開口部であり、その立方形の底面に相当する部分は開放になっており、組み上げた場合に、その底面部分には画像制御基板２０４の基板上面が位置することになり、ここに配置されているコネクタがケース２０２の外部に露出することになる。
【００１４】
透明ケース２０２はアクリル形樹脂で形成されており、外部から内部の基板２０４が可視観察できるように、図における上面は、均一の厚さを保ち、鏡面仕上げになっている。当然ながら、アクリルは熱伝導度が低く、通常、アルミ材の１／１００程度である。
【００１５】
ここで図１に示す２０３はアルミ材で形成された放熱のための部材であり、画像パネルユニットの背面板２３３の取り付け部２１３を利用して、画像パネルユニット２０５に取り付けられる。そして、背面板２３３と部材２０３（以後、放熱板と称する）は同じアルミ材で形成され、取り付け部を含む接触面により、背面板２３３の熱を伝導し、放熱板２０３の放熱孔を有する部分により放熱するようにしている。図１において、放熱板２０３を２つ示している。手前下部に示した放熱板を背面から見た図が、右上部に示した放熱板２０３である。放熱板２０３の図における水平部は、上述したように構造上の必要性からのものではなく、表示ユニット２０１の、図示しない遊技盤への取り付け部を兼ねた突出部を有して、図示したような形状に形成している。
【００１６】
画像パネルユニット２０５の背面板２３３の内部（図５に示す、後述する）には駆動基板があり、そこには蛍光管を駆動するためのインバータ電源がある。図１における画像パネル２０５の図では、最下面に偏光板、ガラス基板、カラーフィルタ、液晶板などから構成される液晶表示素子があり、その上部に導光板方式のバックライト部がある。このバックライト部の上部にバックライトの蛍光管を駆動するインバータ、などを収容した基板が配置されている。この基板と画像制御基板２０４との熱およびＥＭＩ（電磁波障害）の相互干渉を防止するため、および放熱板２０３へ熱を伝導するために、背面板２０３の存在を利用している。この背面板２０３を含めて、図２に示すように組み上げている。
【００１７】
図２に示す図において、透明ケース２０２の部分には、それを通してみることのできる画像制御基板を一部描いている。この辺は、図１に示す透明ケースと見比べられたい。ただし、放熱板２０３の部分はアルミ材で形成されているので、その部分は、画像制御基板を見ることはできない。
【００１８】
図３は、図２の表示装置２０１を右側方からみた断面図である。ただし、説明のための図であり、図２を１つの一様な平面で切断した場合を示してはいない。図３の左右に示す図は、さらに図３の上部の透明ケースの図は、図２を左下方から右上方に延長する中心を通る切断面の様子を示している。図３のその内側は、画像制御基板２０４と透明ケース２０２の取り付けの様子を、そして基板２０４の中央部に示す部品（コネクタ）は、外部基板との接続コネクタと電源部からの電源供給を受けるためのコネクタである。これは、図２において図示している。また、図３に示す放熱板２０３の下部において外部に向かう突出部は、図２の左右側面部の切断面を示している。放熱板２０３の放熱部（放熱孔のある部分）は、透明ケース２０２の形状と対応させており、その部分は、図３に示すように透明ケースの対応部分に形成された溝２０７に挿入されて固定されている。また、この図３に示すように、透明ケース２０２と画像制御基板２０４は、図１に示す画像パネルユニット２０５の背面板取り付け部２１３を利用して図示したような取り付け部材２５１、２５２を使用して結合している。そして、背面板２３３と画像制御基板２０４との間は、図示したように間隙２０８を有して配置され、透明ケース２０２および放熱板２０３の放熱孔を通して、下部に相当する右方から外気を取り入れ、間隙部２０８と画像制御基板２０４の部品面側の空間を通り、上方に相当する図の左側の放熱口から排出する自然対流を形成するようにしている。また、同時に右方からの空気の流れは、図１に示す背面板２３３の放熱孔から画像パネルユニット２０５内部に流入し、接続のためのコネクタ取りだし口、あるいは調整のための開口部を通して流出し、図３における左方の放熱板２０３の放熱孔から外部に排出される。
【００１９】
図４は、本実施形態において遊技盤を背面から見た場合で、本発明による表示装置を遊技盤に取り付けた様子を示している。表示装置２０１を、放熱板２０３の突出部に設けた取付孔、および透明ケースの突出部２１０に設けた取付孔を使用して、遊技盤の背面上に固定配置されている取付部２０９に取り付けている。図において、表示装置２０１の右方には、２つの各種制御基板がケースに収容されて配置されている。したがって、この場合、側面に空気の流通口を設けること非効率でもあり、排出熱を近傍に配置された制御基板に与えることにもなるので、この図における左右の側面に位置するケースには放熱孔は、設けていない。図に示すように、上下の面に放熱のための複数の孔明部を有する放熱板２０３を配置し、これらの孔明部を通して、下方から上方に向かう対流が発生するようにしている。なお、図４においては、表示装置２０１の下面は明らかではないが、形状等は、上面と同様である。図の右部にある外部基板との接続および電源供給のためのコネクタ用開口部以外は上下対称な形状である。この図は、実際の遊技盤設置状況において、平均身長の人が観察した場合を示し、少し、屈むことで、放熱板２０３が邪魔することなく、表示装置内部の基板を観察することが可能になっている。
【００２０】
図５は、前述したが、画像パネルユニット内の表示関係のブロックダイアグラムである。図から理解されるように、入力される信号は、ＲＧＢそれぞれのアナログ・ビデオ信号と、内部回路を駆動するための水平と垂直の同期信号そしてクロック信号と、内部のＩＣなどへの電源供給ラインと、そしてバックライトの蛍光管を駆動する電源供給ラインである。図示していないが、下部のインバータ回路と上部の液晶駆動回路との間は、図示する範囲では電気的に絶縁状態になっている。
【００２１】
この入力信号の内ビデオ信号の電気的仕様については、一般的なテレビジョン・モニタの入力のＲＧＢ信号と同様であり、水平および垂直同期信号の存在も同様である。ただし、同期信号の電気的仕様は一般的なＲＧＢモニタと若干異なっている。この入力されるアナログ・ビデオ信号は、画像制御基板内部において生成された画像であり、元々はデジタルビデオであった信号をＤ／Ａ変換してアナログ信号にしたものである。したがって、再サンプリングにより解像度を劣化させないために、外部クロック信号を入力している。
【００２２】
ここで、ＬＣＤ表示器の特性は、通常のブラウン管の入力レベル対出力輝度特性と異なる特性を有しているので、その違いを吸収し、通常のテレビジョン・モニタとしても信号レベルとその種類においては使用可能としている。その部分が４０２で示すγ補正の部分である。γ補正するためには、ビデオ信号のブラックレベル、通常ペデスタルレベルと言われている部分をクランプして、次段の非線形増幅器（４０２のγ補正増幅器）に加える必要があり、これを４０１のＤＣクランプ回路で行っている。単なるコンピュータグラフィックスの画像のみを表示する場合、その生成過程において、自由に画像の輝度、彩度、色度をＬＣＤの特性に合わせて表示することでとくに問題はないが、通常のテレビジョン信号は、ブラウン管の駆動と発光の特性に合わせて信号処理されているので、ブラウン管とその特性が大幅に異なるＬＣＤに同様のビデオ信号を与えた場合、不自然な輝度特性の表示画像と成ってしまう。このブラウン管と異なる特性を補償するのがγ補正回路４０２である。
【００２３】
高電圧電源が必要な蛍光管をバックライト光源として使用しているので、この高電圧の部分をケーブルで長距離を引きまわさないようにするため、バックライトの近傍のこの基板上でインバータを使用して、低電圧の入力電源を昇圧している。このようにすることで、高電圧を、画像パネルユニット内のみに限定させることができる。また、この高電圧の影響を狭い範囲内に閉じ込めている。このような構成とすることにより、この画像パネルユニットを使用して、通常のテレビジョン・モニタとしても流用することも可能になっている。
【００２４】
したがって、遊技機が廃棄された場合、この画像パネルユニットは、電源電圧と信号の物理的接続仕様を合わせることで、車用のテレビジョン・モニタあるいは、カーナビゲーションのモニタとしても再利用することが可能となっている。このことは、画像パネルユニットのケースについても同様なことが言える。ただし、接続部については変換コネクタ等が必要になるが。このように想定すると、画像パネルユニットの背面パネル２３３と放熱板２０３を分離したことは有効に作用する。すなわち、画像パネルユニットとして分解した場合、図１に示す、背面パネル２３３を有した状態の画像パネルユニットを得ることができる。ただし、背面パネルを画像パネルユニットに固定する部材は図１に示す取付部材２５１を使用することになるが、ビスは一般的であり、単独の際に使用されるビスを使用して固定することは容易である。図示していないが、この画像パネルユニットと、画像制御基板とのビデオ信号や電源の接続は、図１の２０５で示した背面板の左方の長方形の開口部を介して行われる。
【００２５】
ここで、放熱のための放熱板２０３と背面板２３３をアルミ材で形成した理由はつぎの通りである。アルミニウムの熱伝導率は鉄の約3倍であり、またアルミニウムは、光、電磁波、さらに各種熱線をよく反射し、とくに純度の高いアルミニウムほどこの性質は優れ、純度９９．８％以上のアルミニウムは放射エネルギーの９０％以上を反射するとされている。したがって、ＥＭＩや好ましくない熱の移動を防止するためにそれぞれの回路や基板を相互に遮蔽すると同時に、内部の熱を効率良く、対流空気を利用してあるいは熱伝導部材を通じて外部に放出することにおいて、アルミニウムを部材として使用することは、好ましい結果を生ずる。
【００２６】
本実施形態においては、上述したようにしたので、いわゆる図柄表示装置をコンパクトに構成しながらも、遊技盤への取り付けに対しては、放熱板２０３の取付部（突出部）のみを専用に設計して、作成することで、容易に各種の遊技機への取付を可能にする。同時に画像パネルユニットを１つの筐体内に収めたので、図柄表示装置を、画像パネルユニットと画像制御基板と、放熱板２枚と、透明ケースと、若干の取付部材とでコンパクトに構成可能することを可能とした。当然ながら、画像パネルユニットには、遊技盤への取り付け部分は含まれていない。
【００２７】
また、本実施形態においては、画像制御基板の取付孔と画像パネルユニットの取付口を一致させて、画像パネルユニットに特化した取付形状を有しているが、図示の放熱板２０３の形状を工夫し、両者を結合する際におけるインターフェースの役目をさせることで、少なくとも取付における両者の間の制約を無くすことができる。この場合、図１において放熱板２０３の、画像パネルユニットの背面パネルの固定部に係合する部分を延長して、上方に屈曲させてさらに端部を水平に屈曲させてコの字形状、あるいは階段形状とし、その部分に取付部を設けることも容易である。そして、その部分を利用して画像制御基板を取り付け、さらに放熱板の突出部を遊技盤の取付部に固定することで、放熱板と画像パネルユニットの間の結合部分は、遊技盤を基準とすると、画像パネルユニットのみを支えるに十分な強度を有するだけで済むことになる。この様にすることで、少なくとも両者の間の取り付けに関する制約を回避することができる。このように構成すると、放熱板と呼んできた放熱板２０３は、遊技盤と画像パネルユニットの結合部材であり、画像制御基板の取付部材でもある。
【００２８】
本実施形態においては、図示していないが、画像パネルユニット内部において蛍光管の発する熱を効果的に、図１に示す放熱板２０３の水平部が接触する位置において背面板２３３に伝達している。したがって、蛍光管の発する熱を効果的に、背面板２３３を経由して、放熱板２０３に伝達し、放熱板の孔明部において伝達された熱を外部に放射することができる。
【００２９】
以上、本発明を、本実施形態を使用して説明したが、本発明の趣旨を逸脱しないで、次の形態に変更することは容易である。
１．放熱板２０３と画像パネルユニットの背面板２３３を別部材としたが、一括した部材として構成することは容易である。実施形態においては、図１に示す、背面板２３３を有する画像パネルユニットを単独で扱うことを前提にしたので、敢えて別構成としている。
２．透明ケース内部に収容する画像制御基板の取り付け位置と対応した位置に透明ケースを取付るための部分を有し、画像制御基板を介して固定していることになるが、放熱板２０３との間で直接結合する部分を設けることも容易である。実施形態では、透明ケース２０２のみを脱着することができないように、透明ケースに図１に示す端部２１０を設けて、放熱板２０３の端部２１１と係合させ、その部分の取り付け孔を利用して、遊技盤の取り付け部２０９にビスで固定している。
【００３０】
この部分は、画像制御基板を取り付けた放熱板を、さらに放熱板端部等を利用して透明ケースに取り付け、この透明ケースに設けた突出部と遊技盤取付部を対応させるようにしても良い。このようにすることで、透明ケースの存在が、取り付ける際の必須要件になり、不正防止に効果的に作用する。この場合、新たに透明ケースに対して放熱板（この場合、既に画像制御基板と画像パネルユニットが取り付けられている）を取り付ける取り付け部を設けることもできる。また、透明ケースと放熱板との間で結合する取り付け部を設けることも可能である。このようにすることで、画像パネルユニット、画像制御基板、透明ケースのそれぞれの間で、それぞれのレベルは異なるが汎用化を計ることができ、それぞれと遊技機の遊技盤との間のインターフェースを放熱板（この場合は取付部材）に持たせることになる。
【００３１】
【発明の効果】
以上説明した通り、本発明によれば、表示装置の形状、画像制御基板、あるいは透明ケースのそれぞれに応じたレベルの汎用化を図りながらも、それぞれの遊技盤に対して、取り付けることを可能にする。同時に、透明ケースのみを単独で取り外すことを不可能にする効果も合わせて有している。
【００３２】
したがって、上述した画像パネルユニット、あるいは内部のＲＯＭにプログラムや表示データが欠き込まれていない画像制御基板、あるいは透明ケースを汎用化することを可能にする。これらの特長は、遊技機の開発設計の効率化において効果的であり、また、放熱板を除き、それぞれの再利用をも可能にしている。
【図面の簡単な説明】
【図１】本発明による液晶表示装置を示す分解斜視図である。
【図２】図１に示したそれぞれの部材を組み上げた状態を示す斜視図である。
【図３】図２に示す組み上げた状態の側面切断図を示す図である。
【図４】図２に示す表示ユニットを遊技盤背面に配置される様子を示す図である。
【図５】図１に示す画像パネルユニット２０５の内部に格納される駆動回路のブロックダイアグラムを示す図である。
【符号の説明】
２０１    表示装置
２０２    透明ケース
２０３    放熱板
２０４    画像制御基板
２０５    画像パネルユニット
２０６    画像パネル背面板の放熱孔
２０７    透明ケースの溝
２０８    間隙部
２０９    遊技盤の表示装置取付部
２１０    透明ケース突出部
２１１    放熱板突出部
２１２    放熱板のＬＣＤパネルへの取付孔
２１３    ＬＣＤパネルの背面板取り付け孔
３０１    遊技盤
３０２    各種制御基板
４０１    ＤＣクランプ回路
４０２    γ補正回路＋反転ＡＭＰ回路
４０３    ＤＣシフト回路
４０４    ＣＯＭ信号発生回路
４０５    Ｖドライバ＋コントローラ
４０６    Ｈドライバ
４０７    ＬＣＤパネル
４０８    ＤＣ／ＤＣコンバータ
４０９    インバータ
４１０    バックライト
【図１】
0003718408.tif 000002
【図２】
0003718408.tif 000003
【図３】
0003718408.tif 000004
【図４】
0003718408.tif 000005
【図５】
0003718408.tif 000006